(57)【要約】【課題】電柱に対する押し付け力を高める腕金支持部補強金具を提供する。【解決手段】チャネル型で一定長の金具の相対向した上下片の中央部の各外端縁に、台形状の切欠き部を有する補強金具本体１を設け、補強金具本体１の背面片の長手方向の両端部には貫通孔を夫々設け、電柱Ａの他側であって、ＵボルトＣを略水平に掛け回している箇所に、ＵボルトＣ及び芯ボルト９の端部をチャネル溝内に入れて水平にした補強金具本体１の上下の切欠き部を夫々あてがい、補強金具本体１の背面片の両端部に設けた各貫通孔に長ボルト３を夫々挿入し、長ボルト３の末端を腕金Ｂの両側に設けた各貫通孔２１に挿通させて、ＵボルトＣの両端部の外側の位置で夫々突出させてナット２４を夫々螺着して補強金具本体１を固定する。【選択図】図１
2010268653.tif 000002
【特許請求の範囲】
【請求項１】
電柱の一側に、角筒形状の一定長で相対向する一側と他側に一定の配置で相応する位置に貫通孔が設けられた腕金の基部を当接して水平方向に伸ばし、電柱の外周に掛け回したＵボルトの両端部を当該腕金の一側の貫通孔から入れて他側の貫通孔から突出させ、また、当該電柱の他側から芯ボルトを電柱内に通してその端部を前記腕金の一側の貫通孔から入れて他側の貫通孔から突出させ、前記Ｕボルトの両端部及び芯ボルトの端部をナットで夫々螺着し、かつ電柱から当該腕金にアームタイを設けて当該腕金を固定している電柱において、
チャネル型で一定長の金具の相対向した上下片の中央部の各外端縁に、台形状の切欠き部を有する補強金具本体を設け、当該補強金具本体の背面片の長手方向の両端部には貫通孔を夫々設け、
前記電柱の他側であって、前記Ｕボルトを略水平に掛け回している箇所に、当該Ｕボルトをチャネル溝内に入れて水平にした前記補強金具本体の上下の切欠き部を夫々あてがい、当該補強金具本体の背面片の両端部に設けた各貫通孔に長ボルトを夫々挿入し、当該長ボルトの末端を前記腕金の両側に設けた各貫通孔に挿通させて、前記Ｕボルトの両端部の外側の位置で夫々突出させてナットを夫々螺着して当該補強金具本体を固定することを特徴とした、腕金支持部補強金具。
【請求項２】
電柱の一側に、角筒形状の一定長で相対向する一側と他側に一定の配置で相応する位置に貫通孔が設けられた腕金の基部を当接して水平方向に伸ばし、電柱の外周に掛け回したＵボルトの両端部を当該腕金の一側の貫通孔から入れて他側の貫通孔から突出させ、また、当該電柱の他側から芯ボルトを電柱内に通してその端部を前記腕金の一側の貫通孔から入れて他側の貫通孔から突出させ、前記Ｕボルトの両端部及び芯ボルトの端部をナットで夫々螺着し、かつ電柱から当該腕金にアームタイを設けて当該腕金を固定している電柱において、
チャネル型で一定長の金具の相対向した上下片の中央部の各外端縁に、台形状の切欠き部を有する補強金具本体を設け、当該補強金具本体の背面片の長手方向の両端部には貫通孔を夫々設け、
チャネル型で一定長の金具の相対向した上下片に挟まれた背面片の両側に横長の長孔を夫々設け、これらの長孔の間に孔を設け、さらに、これらの２つの横長の長孔を挟んで両側に貫通孔を夫々具備した補助金具を設け、当該補助金具の２つの貫通孔の配置は前記補強金具本体の２つの貫通孔の配置と同じ位置とし、
前記補助金具を水平にして一端を前記腕金の基部より長手方向の外側に突出させ、当該腕金の他側であって前記Ｕボルトの両端部が夫々突出した箇所に当該補助金具の各長孔を、また、これらのＵボルトの両端部の間から突出した芯ボルトの端部に前記補助金具の孔を夫々嵌めて被せ、
当該電柱の他側であって、前記Ｕボルトを略水平に掛け回している箇所に、当該Ｕボルトをチャネル溝内に入れて水平にした前記補強金具本体の上下の切欠き部を夫々あてがい、当該補強金具本体の各貫通孔に長ボルトを夫々挿入し、一方の長ボルトの末端を前記腕金の両側に設けた貫通孔に挿通させて前記補助金具の一側の貫通孔から突出させ、他方の長ボルトの末端を前記腕金の基部の一端から外方へ突出した前記補助金具の貫通孔を通して突出させ、当該各長ボルトの末端にナットを夫々螺着して前記補強金具本体、補助金具を固定したことを特徴とした、腕金支持部補強金具。
【請求項３】
チャネル型で短尺な金具の相対向した上下片に挟まれた背面片の略中央に貫通孔を設けて補強用座金を複数個設け、
前記補助金具を用いての補強金具本体の取り付けに際して、当該補強金具本体及び補助金具の各貫通孔の位置に前記補強用座金の貫通孔の位置を合わせて当該補強用座金を被せ、これらの上から前記長ボルトを挿入し、また、これらの補強用座金の各貫通孔から突出した長ボルトの末端に夫々ナットを螺着し、また、前記補助金具の各長孔から突出したＵボルトの両端部のナットを一旦外してこれらの両端部に補強用座金を被せ、その上からナットを螺着したことを特徴とした、前記請求項２に記載の腕金支持部補強金具。
【請求項４】
前記補強金具本体と凡そ同幅同長の金属板であって、長手方向の略中央部を湾曲させ、当該湾曲部の両側外方まで横長の開口を設け、長手方向の両端部に長孔を夫々設けた薄い金属製の当て金具を設け、
前記補強金具本体を前記電柱に当接して取り付ける際に、当該補強金具本体の両端部の貫通孔及び前記当て金具の二つの長孔に長ボルトを夫々通し、当該補強金具本体と当該電柱との間に前記当て金具を介在させて前記補強金具本体の上下片の切欠き部の両側角部に前記当て金具を当接させたことを特徴とする、前記請求項１、２又は３の何れかに記載の腕金支持部補強金具。
【発明の詳細な説明】
【技術分野】
【０００１】
この発明は、主に、引通し装柱において、強風の際、電柱に取り付けられた既存の腕金にかかる回転力に抗して当該腕金の変位量を抑える腕金支持部補強金具に関するものである。
【背景技術】
【０００２】
日本全国、市街、郊外を問わず、配電や通信のために無数の電柱が建設されている。この様な電柱の中には、図２２に示す様に、電線の懸架のため、電柱Ａの一側から腕金Ｆを水平方向に伸ばして取り付けられているものがある。この腕金Ｆは、電柱Ａと接する箇所で当該電柱Ａを掛け回したＵボルトＣの両端部をこの腕金Ｆに予め設けられた各貫通孔に嵌め入れて当該腕金Ｆの他側から突出した当該ＵボルトＣの両端部で夫々ナットを螺着して当該電柱Ａに固定している。また、この電柱Ａから前記腕金ＦにアームタイＤを設けて当該腕金Ｆを支持している。
【０００３】
この様な電線や腕金Ｆに強風が吹くと、腕金Ｆに複雑な荷重が作用し、その中の荷重の一つとして、図２３に示す様に、この腕金Ｆに荷重Ｐがかかり、当該腕金Ｆを回転させようとする回転力Ｍが発生して前記ＵボルトＣ及び芯ボルト９を破断する可能性がある。
【特許文献１】特開２００８−２４５４３２号公報（図１１参照）
【発明の開示】
【発明が解決しようとする課題】
【０００４】
前記回転力Ｍは、前記ＵボルトＣが電柱Ａを締め付ける力によって発生する電柱Ａへの押し付け力（図２３の電柱の断面図において黒矢印で示す）によって抗されることが分かり、この押し付け力が大きいほど回転力Ｍに抵抗するＵボルトと電柱Ａ間での摩擦力は大きくなり、電柱Ａに対してＵボルトが回転せず、腕金Ｆ先端の変位量を抑えることが出来る。
【０００５】
この発明は、これらの点に鑑みて為されたもので、電柱に対する前記押し付け力を高める腕金支持部補強金具を提供して前記課題を解決するものである。
【課題を解決するための手段】
【０００６】
請求項１の発明は、電柱の一側に、角筒形状の一定長で相対向する一側と他側に一定の配置で相応する位置に貫通孔が設けられた腕金の基部を当接して水平方向に伸ばし、電柱の外周に掛け回したＵボルトの両端部を当該腕金の一側の貫通孔から入れて他側の貫通孔から突出させ、また、当該電柱の他側から芯ボルトを電柱内に通してその端部を前記腕金の一側の貫通孔から入れて他側の貫通孔から突出させ、前記Ｕボルトの両端部及び芯ボルトの端部をナットで夫々螺着し、かつ電柱から当該腕金にアームタイを設けて当該腕金を固定している電柱において、チャネル型で一定長の金具の相対向した上下片の中央部の各外端縁に、台形状の切欠き部を有する補強金具本体を設け、当該補強金具本体の背面片の長手方向の両端部には貫通孔を夫々設け、前記電柱の他側であって、前記Ｕボルトを略水平に掛け回している箇所に、当該Ｕボルトをチャネル溝内に入れて水平にした前記補強金具本体の上下の切欠き部を夫々あてがい、当該補強金具本体の背面片の両端部に設けた各貫通孔に長ボルトを夫々挿入し、当該長ボルトの末端を前記腕金の両側に設けた各貫通孔に挿通させて、前記Ｕボルトの両端部の外側の位置で夫々突出させてナットを夫々螺着して当該補強金具本体を固定する腕金支持部補強金具とした。
【０００７】
請求項２の発明は、電柱の一側に、角筒形状の一定長で相対向する一側と他側に一定の配置で相応する位置に貫通孔が設けられた腕金の基部を当接して水平方向に伸ばし、電柱の外周に掛け回したＵボルトの両端部を当該腕金の一側の貫通孔から入れて他側の貫通孔から突出させ、また、当該電柱の他側から芯ボルトを電柱内に通してその端部を前記腕金の一側の貫通孔から入れて他側の貫通孔から突出させ、前記Ｕボルトの両端部及び芯ボルトの端部をナットで夫々螺着し、かつ電柱から当該腕金にアームタイを設けて当該腕金を固定している電柱において、チャネル型で一定長の金具の相対向した上下片の中央部の各外端縁に、台形状の切欠き部を有する補強金具本体を設け、当該補強金具本体の背面片の長手方向の両端部には貫通孔を夫々設け、チャネル型で一定長の金具の相対向した上下片に挟まれた背面片の両側に横長の長孔を夫々設け、これらの長孔の間に孔を設け、さらに、これらの２つの横長の長孔を挟んで両側に貫通孔を夫々具備した補助金具を設け、当該補助金具の２つの貫通孔の配置は前記補強金具本体の２つの貫通孔の配置と同じ位置とし、前記補助金具を水平にして一端を前記腕金の基部より長手方向の外側に突出させ、当該腕金の他側であって前記Ｕボルトの両端部が夫々突出した箇所に当該補助金具の各長孔を、また、これらのＵボルトの両端部の間から突出した芯ボルトの端部に前記補助金具の孔を夫々嵌めて被せる。
【０００８】
また、当該電柱の他側であって、前記Ｕボルトを略水平に掛け回している箇所に、当該Ｕボルトをチャネル溝内に入れて水平にした前記補強金具本体の上下の切欠き部を夫々あてがい、当該補強金具本体の各貫通孔に長ボルトを夫々挿入し、一方の長ボルトの末端を前記腕金の両側に設けた貫通孔に挿通させて前記補助金具の一側の貫通孔から突出させ、他方の長ボルトの末端を前記腕金の基部の一端から外方へ突出した前記補助金具の貫通孔を通して突出させ、当該各長ボルトの末端にナットを夫々螺着して前記補強金具本体、補助金具を固定した腕金支持部補強金具とした。
【０００９】
請求項３の発明は、チャネル型で短尺な金具の相対向した上下片に挟まれた背面片の略中央に貫通孔を設けて補強用座金を複数個設け、前記補助金具を用いての補強金具本体の取り付けに際して、当該補強金具本体及び補助金具の各貫通孔の位置に前記補強用座金の貫通孔の位置を合わせて当該補強用座金を被せ、これらの上から前記長ボルトを挿入し、また、これらの補強用座金の各貫通孔から突出した長ボルトの末端に夫々ナットを螺着し、また、前記補助金具の各長孔から突出したＵボルトの両端部のナットを一旦外してこれらの両端部に補強用座金を被せ、その上からナットを螺着した前記請求項２に記載の腕金支持部補強金具とした。
【００１０】
請求項４の発明は、前記補強金具本体と凡そ同幅同長の金属板であって、長手方向の略中央部を湾曲させ、当該湾曲部の両側外方まで横長の開口を設け、長手方向の両端部に長孔を夫々設けた薄い金属製の当て金具を設け、前記補強金具本体を前記電柱に当接して取り付ける際に、当該補強金具本体の両端部の貫通孔及び前記当て金具の二つの長孔に長ボルトを夫々通し、当該補強金具本体と当該電柱との間に前記当て金具を介在させて前記補強金具本体の上下片の切欠き部の両側角部に前記当て金具を当接させた前記請求項１、２又は３の何れかに記載の腕金支持部補強金具とした。
【発明の効果】
【００１１】
請求項１、２、３の各発明によれば、電柱に既存の腕金が取り付けられた場合であっても、当該腕金の取り付けの充分な補強を簡単に行うことが出来、腕金先端の変位量を抑えることが出来る。これは、Ｕボルトを締め付けることによって発生する電柱への押し付け力に加えて、補強金具本体の両端部の長ボルトを締め付けることによって発生する電柱への押し付け力も作用するからである。
【００１２】
また、請求項２及び３の各発明によれば、腕金の基部の端部が電柱外方へ充分突出しておらず、腕金に補強金具本体に対応する貫通孔が無くても補助金具と補強用座金を用いることにより、充分で確実な補強を簡単に行うことが出来る。
【００１３】
請求項３の発明によれば、前記補助金具を用いての補強金具本体の取り付けの際、当該補強金具本体及び補助金具に補強用座金を被せ、この上からナットを螺着したので、この補強用座金を用いない場合と比べてより強力に固定することが出来る。
【００１４】
請求項４の発明によれば、補強金具本体を前記電柱に当接して取り付ける際に、当該補強金具本体の上下片の切欠き部の両側角部と当該電柱との間に前記当て金具を介在させたので、補強金具本体の上下片の切欠き部の両側角部が強固に電柱に押圧されても直接電柱に当たらないので、電柱の外周面を傷付け難く、安心して腕金の補強をすることが出来る。また、この様に、当て金具を介在させると、Ｕボルトと電柱との間の摩擦力に加え、当て金具と電柱間での摩擦力も作用し、腕金先端の変位量をさらに抑えることが出来る。また、この当て金具を補強金具本体と当該電柱との間に介在させた場合、電柱と当て金具との間に隙間が出来るが、長ボルトで締め付けることによって、当て金具は、補強金具本体により電柱に押し付けられて、隙間が無くなり電柱になじみ強固に取り付けられる。
【発明を実施するための最良の形態】
【００１５】
この発明は、電柱の一側に、角筒形状の一定長で相対向する一側と他側に一定の配置で相応する位置に貫通孔が設けられた腕金の基部を当接して水平方向に伸ばし、電柱の外周に掛け回したＵボルトの両端部を当該腕金の一側の貫通孔から入れて他側の貫通孔から突出させ、また、当該電柱の他側から芯ボルトを電柱内に通してその端部を前記腕金の一側の貫通孔から入れて他側の貫通孔から突出させ、前記Ｕボルトの両端部及び芯ボルトの端部をナットで夫々螺着し、かつ電柱から当該腕金にアームタイを設けて当該腕金を固定している電柱において、チャネル型で一定長の金具の相対向した上下片の中央部の各外端縁に、台形状の切欠き部を有する補強金具本体を設け、当該補強金具本体の背面片の長手方向の両端部には貫通孔を夫々設け、前記電柱の他側であって、前記Ｕボルトを略水平に掛け回している箇所に、当該Ｕボルトをチャネル溝内に入れて水平にした前記補強金具本体の上下の切欠き部を夫々あてがい、当該補強金具本体の背面片の両端部に設けた各貫通孔に長ボルトを夫々挿入し、当該長ボルトの末端を前記腕金の両側に設けた各貫通孔に挿通させて、前記Ｕボルトの両端部の外側の位置で夫々突出させてナットを夫々螺着して当該補強金具本体を固定する。
【００１６】
これにより、電柱に既存の腕金が取り付けられた場合であっても、当該腕金の取り付けの充分な補強を簡単に行うことが出来る。
【実施例１】
【００１７】
以下、この発明の実施例１を図に基づいて説明する。
図１は、この発明の実施例１の腕金支持部補強金具を、腕金を取り付けた電柱に取り付けた状態の平面説明図である。図２は、同腕金支持部補強金具の補強金具本体の平面図である。図３は、同補強金具本体の正面図である。図４は、同右側面図である。図５は、この発明の実施例１の腕金支持部補強金具の当て金具の平面図である。図６は、同正面図である。図７は、同右側面図である。また、図８は、この発明の実施例１の腕金支持部補強金具を取り付ける腕金の正面図である。
【００１８】
この発明の実施例１の腕金支持部補強金具は、補強金具本体１と当て金具２から成る。この補強金具本体１は、図２、３及び４に示す様に、チャネル型で一定長の金具の相対向した上下片の中央部の各外端縁を台形状に切欠いた切欠き部１ａ及び当該金具の背面片の長手方向の両端部に貫通孔１ｂを夫々穿って設けている。この補強金具本体１の各貫通孔１ｂの位置は、後述する当該補強金具本体１を長ボルト３で電柱Ａに取り付けた際、前記腕金Ｂの基部に設けられた二つの各貫通孔に対応する位置となっている。
【００１９】
また、前記当て金具２は、図５、６及び７に示す様に、前記補強金具本体１の背面片よりやや広い幅を有し、前記補強金具本体１の長さよりやや長い長さの薄い金属板であって、長手方向の略中央部に横長長方形状の開口２ａを設け、さらにこの開口２ａの略中央部を湾曲させた湾曲部２ｂとし、また、長手方向の両端部に長孔２ｃを夫々設けている。
【００２０】
次に、この実施例１の腕金支持部補強金具を使用する手順を説明する。
まず、この腕金支持部補強金具を取り付ける電柱Ａ（コンクリート柱）に取り付けられた既存の腕金Ｂについて説明する。この腕金Ｂは、図８に示す様に、角筒形状で一定長を有し、当該角筒の相対向する一側と他側に一定の配置で相応する位置に貫通孔が設けられている。この腕金Ｂの電柱に当接させる基部には、間をあけて横長の貫通孔２１を２つ、これらの貫通孔２１の間及び両端外方に貫通孔２２を夫々設けている。
【００２１】
この様な腕金Ｂを、図１に示す様に、電柱Ａの一側に、この腕金Ｂの基部の一側を当接して水平方向に伸ばし、電柱Ａの外周に掛け回したＵボルトＣの両端部２３を当該腕金Ｂの一側の横長の各貫通孔２１から入れて当該腕金Ｂの他側の各貫通孔２１から突出させてこれらのＵボルトＣの両端部２３をナット２４で夫々螺着し、また、電柱Ａの他側から芯ボルト９を電柱Ａ内に通して、前記腕金Ｂの貫通孔２２からその端部を突出させ、ナットを螺着して当該腕金Ｂを電柱Ａに固定している。また、電柱Ａから腕金Ｂに２本のアームタイＤを設けて当該腕金Ｂを固定している。
【００２２】
この様に腕金Ｂを取り付けた電柱Ａに腕金支持部補強金具を取り付ける。図１に示す様に、この電柱Ａの他側であって、前記ＵボルトＣを略水平に掛け回している箇所及び前記芯ボルト９の突出した端部を、水平にした前記当て金具２の開口２ａ内に入れて当該当て金具２を電柱Ａにあてがい、その上から、水平にした前記補強金具本体１の上下の切欠き部１ａを夫々あてがい、これらの各切欠き部１ａの相対向する鈍角の角部１ａ´を当て金具２を介して電柱Ａの外周面に当てる。その後、この補強金具本体１の背面片の両端部に設けた各貫通孔１ｂに各長ボルト３を夫々挿入して、前記当て金具２の両端部の各長孔２ｃに通し、当該長ボルト３の末端を前記腕金Ｂの両側に設けた各貫通孔２２に挿通させて当該腕金Ｂの他側であって、前記ＵボルトＣの両端部の外側の位置で夫々突出させてナット４を夫々螺着する。これにより、この補強金具本体１と前記腕金Ｂによって当該電柱Ａを挟持して固定する。
【実施例２】
【００２３】
次に、この発明の実施例２について説明する。
図９は、この発明の実施例２の腕金支持部補強金具の補強金具本体の平面図である。図１０は、同補強金具本体の正面図である。図１１は、この発明の実施例２の腕金支持部補強金具の当て金具の平面図である。図１２は、同当て金具の正面図である。図１３は、この発明の実施例２の腕金支持部補強金具の補助金具の平面図である。図１４は、同補助金具の正面図である。図１５は、同補助金具の左側面図である。図１６は、この発明の実施例２の腕金支持部補強金具の補強用座金の正面図である。図１７は、同補強用座金の左側面図である。図１８は、この発明の実施例２の腕金支持部補強金具を取り付ける腕金の正面図である。図１９は、この発明の実施例２の腕金支持部補強金具を、腕金を取り付けた電柱に取り付けた状態の平面説明図である。図２０は、図１９における腕金支持部補強金具部分の拡大図である。
【００２４】
この実施例２の腕金支持部補強金具は、補強金具本体５、当て金具６、補助金具７、補強用座金８から成る。以下、詳しく述べる。前記補強金具本体５は、図９及び１０に示す様に、基本的には前記実施例１のものと同じ構成である。異なる点は、この補強金具本体５は、前記実施例１の補強金具本体１より長くなっており、切欠き部５ａの位置は中央より一方に、図９では右側に、偏った位置に設けられている。他の構造は実施例１と同様に、背面片の長手方向の両端部には貫通孔５ｂを夫々穿っている。
【００２５】
また、当て金具６も、図１１及び１２に示す様に、補強金具本体５と同様に、実施例１の当て金具２より長く設けられており、開口６ａや湾曲部６ｂの位置も図１１及び図１２に示す様に、中央より右側に偏った位置に設けられている。他の構造は実施例１と同じで、長手方向の両端部に長孔６ｃを夫々設けている。
【００２６】
補助金具７は、後述する腕金Ｅに被冠出来る大きさであり、図１３、１４及び図１５に示す様に、チャネル型で一定長の金具の上下片に挟まれた背面片の中央からやや右側に円形状の開口７ａを設け、この開口７ａを挟んで長手方向の両側に横長の楕円形状の開口７ｂを夫々設けている。さらに、これらの２つの楕円形状の開口７ｂを挟んで両側に貫通孔７ｃを夫々設けている。そして、この補助金具の２つの貫通孔７ｃの配置は、前記補強金具本体５の２つの貫通孔５ｂの配置と同じ位置となっている。
【００２７】
補強用座金８は、前記補助金具７及び補強金具本体５に被冠出来る大きさであり、図１６、１７に示す様に、チャネル型で短尺な金具の上下片に挟まれた背面片の略中央に貫通孔８ａを設けて形成されており、ここでは６個使用する。
【００２８】
次に、この実施例２の腕金支持部補強金具を使用する手順を説明する。
まず、この腕金支持部補強金具を取り付ける電柱Ａに取り付けられた既存の腕金Ｅについて説明する。この腕金Ｅは、図１８に示す様に、角筒形状で一定長を有し、当該角筒の相対向する一側と他側に一定の配置で貫通孔が設けられている。この腕金Ｅの、電柱Ａに当接させる基部には、間隔をあけて横長の貫通孔２５を２つ設け、これらの貫通孔２５の間及び右側に貫通孔２２を夫々設けている。
【００２９】
この様な腕金Ｅを、図１９及び図２０に示す様に、電柱Ａの一側に、この腕金Ｅの基部の他側を当接して水平方向に伸ばし、電柱Ａの外周に掛け回したＵボルトＣの両端部を当該腕金Ｅの一側の横長の貫通孔２５から入れて当該腕金Ｅの他側の貫通孔２５から突出させてこれらのＵボルトＣの両端部２３をナット２４で夫々螺着し、また、電柱Ａの他側の前記ＵボルトＣの中央部の下方から芯ボルト９を電柱Ａ内に通して前記腕金Ｅの貫通孔２２からその端部９ａを突出させ、ナット４を螺着して当該腕金Ｅを固定している。また、電柱Ａから腕金Ｅに２本のアームタイＤを設けて当該腕金Ｅを固定している。
【００３０】
この様に、腕金Ｅを取り付けた電柱Ａに腕金支持部補強金具を取り付ける。図２０に示す様に、まず、前記補助金具７を水平にして一端を前記腕金Ｅの基部の端部より長手方向の外側（図２０において左側）に、若干、突出させて、当該腕金Ｅの他側の前記ＵボルトＣの両端部２３に前記補助金具７の各開口部７ｂを嵌め、さらに、芯ボルト９の端部９ａが夫々突出した箇所に当該補助金具７の開口７ａを夫々嵌めて腕金Ｅに被せる。
【００３１】
この電柱Ａの他側であって、前記ＵボルトＣを略水平に掛け回している箇所及び前記芯ボルト９の突出した端部を、水平にした前記当て金具６の開口部６ａ内に入れて前記当て金具６を電柱Ａにあてがい、その上から、水平にした前記補強金具本体５の上下の切欠き部５ａを夫々あてがい、これらの各切欠き部５ａの相対向する鈍角の角部５ａ´を当て金具６を介して電柱Ａの外周面に当てる。
【００３２】
その後、この補強金具本体５の背面片の両端部に設けた各貫通孔５ｂに前記補強用座金８の貫通孔８ａを合わせて当該補強用座金８を夫々被せる。さらに、当該補強金具本体５及び補強用座金８の各貫通孔５ｂ、８ａに長ボルト３を夫々挿入して前記当て金具６の両端部の各長孔６ｃに通し、一方の長ボルト３ａを、前記腕金Ｅの相対向する一側と他側に設けた貫通孔２２に挿通させて前記補助金具７の一端部の貫通孔７ｃから突出させる。また、他方の長ボルト３ｂを、前記腕金Ｅの基部の一端から外方へ突出させた前記補助金具７の他端部の貫通孔７ｃから突出させ、当該各長ボルト３ａ、３ｂの各末端に前記補強用座金８の貫通孔８ａを通して当該補強用座金８を夫々被せる。その上からナット４を夫々螺着して前記補強金具本体５と前記腕金Ｅによって当該電柱Ａを挟持して固定する。その後、前記ＵボルトＣの両端２３のナット２４を夫々一旦外して当該両端２３に、前記補強用座金８の貫通孔８ａを通して当該補強用座金８を夫々被せ、その上からナット２４を夫々螺着する。
【００３３】
次に、これらの腕金支持部補強金具を設けた場合の効果を実験し、データ測定した。比較のために、腕金支持部補強金具を設けていない場合のデータも測定し、これらの結果を図２１に示すグラフとした。
【００３４】
まず、この実験は、図１及び図１９に示す様に、電柱Ａの中心から、１，０２５ｍｍの位置の腕金に水平な横方向の荷重Ｐを載荷したときの、電柱の中心から１，５７５ｍｍの位置の腕金の変位量を測定し、これらの結果をグラフにした。
【００３５】
そして、このグラフにおいて、電柱Ａの中心から、１，０２５ｍｍの位置の腕金に荷重Ｐ＝７００Ｎを載荷したときの、電柱の中心から１，５７５ｍｍの位置の腕金の変位量が１０ｍｍ以内となった場合、補強効果が有るものとした。
【００３６】
この実施例１及び２の各腕金支持部補強金具の場合（図２１では、「旧型補強有り」が実施例１の腕金支持部補強金具を取り付けた場合を示し、「新型補強有り」が実施例２の腕金支持部補強金具を取り付けた場合を示す）、およそ荷重Ｐが８００Ｎで変位量が約１０ｍｍとなっている。そして、荷重Ｐが７００Ｎでは、実施例１の腕金支持部補強金具を取り付けたものでは、８．５ｍｍで、実施例２の腕金支持部補強金具を取り付けたものでは、６．８ｍｍであることが分かる。
【００３７】
一方、各腕金支持部補強金具をつけていない場合（図２１では、「旧型補強無し」及び「新型補強無し」で示す）、およそ荷重Ｐが４００〜４４０Ｎで変位量が１０ｍｍとなっている。そして、各腕金支持部補強金具をつけていない場合では、荷重Ｐ７００Ｎを荷重した時は、変位量が１０ｍｍ以上であることは明らかである。
これらのことから、実施例１及び２の各腕金支持部補強金具を取り付けた場合、腕金に対して有効な補強が出来ていることが分かる。
【００３８】
また、前記当て金具２、６は、薄い金属板から成り、長手方向の略中央部に横長長方形状の開口２ａ又は６ａを設け、さらに、長手方向の両端部に長孔２ｃ又は６ｃを夫々設けているので、補強金具本体１又は５と前記電柱Ａとの間に介在させて取り付けた際、電柱Ａの外形と当て金具２又は６の湾曲部の形状が合わないものであっても、柔軟に対応出来、さらに、補強金具本体１又は５を長ボルト３で締め付けることによって、補強金具本体１又は５により電柱Ａに押し付けられて、隙間が無くなり電柱Ａになじみ強固に取り付けられる。
【００３９】
前記実施例では、前記補強金具本体１、５を前記電柱Ａに当接して取り付ける際に、当該補強金具本体１、５と当該電柱Ａとの間に前記当て金具２、６を介在させているが、これらは無くても良い。
【図面の簡単な説明】
【００４０】
【図１】この発明の実施例１の腕金支持部補強金具を、腕金を取り付けた電柱に取り付けた状態の平面説明図である。
【図２】この発明の実施例１の腕金支持部補強金具の補強金具本体の平面図である。
【図３】この発明の実施例１の腕金支持部補強金具の補強金具本体の正面図である。
【図４】この発明の実施例１の腕金支持部補強金具の補強金具本体の右側面図である。
【図５】この発明の実施例１の腕金支持部補強金具の当て金具の平面図である。
【図６】この発明の実施例１の腕金支持部補強金具の当て金具の正面図である。
【図７】この発明の実施例１の腕金支持部補強金具の当て金具の右側面図である。
【図８】この発明の実施例１の腕金支持部補強金具を取り付ける腕金の正面図である。
【図９】この発明の実施例２の腕金支持部補強金具の補強金具本体の平面図である。
【図１０】この発明の実施例２の腕金支持部補強金具の補強金具本体の正面図である。
【図１１】この発明の実施例２の腕金支持部補強金具の当て金具の平面図である。
【図１２】この発明の実施例２の腕金支持部補強金具の当て金具の正面図である。
【図１３】この発明の実施例２の腕金支持部補強金具の補助金具の平面図である。
【図１４】この発明の実施例２の腕金支持部補強金具の補助金具の正面図である。
【図１５】この発明の実施例２の腕金支持部補強金具の補助金具の左側面図である。
【図１６】この発明の実施例２の腕金支持部補強金具の補強用座金の正面図である。
【図１７】この発明の実施例２の腕金支持部補強金具の補強用座金の左側面図である。
【図１８】この発明の実施例２の腕金支持部補強金具を取り付ける腕金の正面図である。
【図１９】この発明の実施例２の腕金支持部補強金具を、腕金を取り付けた電柱に取り付けた状態の平面説明図である。
【図２０】前記図１９における腕金支持部補強金具部分の拡大図である。
【図２１】この発明の実施例１、２の腕金支持部補強金具を用いた場合と用いない場合の補強具合を実験したグラフである。
【図２２】腕金を取り付けた電柱の概略正面図である。
【図２３】腕金を取り付けた電柱に、強風により荷重がかかる様子を示す説明図である。
【符号の説明】
【００４１】
Ａ    電柱              Ｂ    腕金            Ｃ    Ｕボルト
Ｄ    アームタイ        Ｅ    腕金            Ｆ    腕金
１    補強金具本体      １ａ  切欠き部        １ｂ  貫通孔
２    当て金具          ２ａ  開口            ２ｂ  湾曲部
２ｃ  長孔              ３    長ボルト        ４   ナット
５    補強金具本体      ５ａ  切欠き部        ５ｂ  貫通孔
６    当て金具          ６ａ  開口            ６ｂ  湾曲部
６ｃ  長孔              ７    補助金具        ７ａ  開口
７ｂ  開口              ７ｃ  貫通孔          ８    補強用座金
８ａ  貫通孔            ９    芯ボルト        ９ａ  端部
２１    貫通孔          ２２    貫通孔        ２３    Ｕボルトの両端部
２４    ナット
【図１】
2010268653.tif 000003
【図２】
2010268653.tif 000004
【図３】
2010268653.tif 000005
【図４】
2010268653.tif 000006
【図５】
2010268653.tif 000007
【図６】
2010268653.tif 000008
【図７】
2010268653.tif 000009
【図８】
2010268653.tif 000010
【図９】
2010268653.tif 000011
【図１０】
2010268653.tif 000012
【図１１】
2010268653.tif 000013
【図１２】
2010268653.tif 000014
【図１３】
2010268653.tif 000015
【図１４】
2010268653.tif 000016
【図１５】
2010268653.tif 000017
【図１６】
2010268653.tif 000018
【図１７】
2010268653.tif 000019
【図１８】
2010268653.tif 000020
【図１９】
2010268653.tif 000021
【図２０】
2010268653.tif 000022
【図２１】
2010268653.tif 000023
【図２２】
2010268653.tif 000024
【図２３】
2010268653.tif 000025